(57)【要約】【課題】第１及び第２の商品収納部の開口部に対して第３の商品収納部の開口部が大きい構成においても第３の商品収納部の冷却能力を低下させることのないオープンショーケースを提供する。【解決手段】第１の上面側通風路６から第１、第２及び第３の商品収納部２，３，４の開口部に沿って空気を吐出するとともに、第１の上面側通風路６から第３の商品収納部４の開口部に沿って吐出された空気の外側に第２の上面側通風路７から第３の商品収納部４の開口部に沿って空気を吐出するようにしたので、第１及び第２の商品収納部２，３の開口部に対して第３の商品収納部４の開口部が大きい構成においても、第３の商品収納部４の冷却能力を低下させることがなく、各商品収納部２，３，４内をバランスよく冷却することができる。【選択図】図３
2008045772.tif 000002
【特許請求の範囲】
【請求項１】
前面、背面及び幅方向一側面を開口したショーケース本体と、ショーケース本体の前面側に開口部を有する第１の商品収納部と、ショーケース本体の背面側に開口部を有する第２の商品収納部と、ショーケース本体の幅方向一側面側から前面側及び背面側に亘って開口部を有する第３の商品収納部とを備え、冷却器で冷却した空気をショーケース本体の上面側の通風路から各商品収納部の開口部に沿って吐出するようにしたオープンショーケースにおいて、
前記第１、第２及び第３の商品収納部の開口部に沿って空気を吐出する第１の上面側通風路と、
第１の上面側通風路から第３の商品収納部の開口部に沿って吐出された空気の外側または内側に第３の商品収納部の開口部に沿って空気を吐出する第２の上面側通風路とを備えた
ことを特徴とするオープンショーケース。
【請求項２】
前記第１及び第２の上面側通風路を互いに上下に配置した
ことを特徴とする請求項１記載のオープンショーケース。
【請求項３】
前記第１の上面側通風路内に、第３の商品収納部の開口部側に吐出される空気をショーケース本体の前面側、背面側及び幅方向一端側にそれぞれ案内する空気案内部材を設けた
ことを特徴とする請求項１または２記載のオープンショーケース。
【請求項４】
前記空気案内部材をショーケース本体の前後方向中央から前面側及び背面側の開口部と幅方向一端側の開口部との間に向かってショーケース本体の幅方向に斜めに延びるように形成するとともに、一部の空気をショーケース本体の幅方向一端側に向かって通過させるように形成した
ことを特徴とする請求項３記載のオープンショーケース。
【発明の詳細な説明】
【技術分野】
【０００１】
本発明は、コンビニエンスストア、スーパーマーケット等の店舗に設置されるオープンショーケースに関するものである。
【背景技術】
【０００２】
従来、この種のオープンショーケースとしては、前面、背面及び幅方向一側面を開口したショーケース本体と、ショーケース本体の前面側及び背面側にそれぞれ開口部を有する第１及び第２の商品収納部と、ショーケース本体の幅方向一側面側から前面側及び背面側に亘って開口部を有する第３の商品収納部と、ショーケース本体の上面側に設けられた上面側通風路と、ショーケース本体の底面側に設けられた底面側通風路と、上面側通風路と底面側通風路とを連通する中間通風路と、底面側通風路内に設けられた冷却器及び送風機とを備え、底面側通風路内で冷却した空気を中間通風路を介して上面側通風路内に流入し、第１、第２及び第３の商品収納部の開口部に沿って吐出するようにしたものが知られている（例えば、特許文献１参照。）。
【特許文献１】特開２００５−５５１２１号公報
【発明の開示】
【発明が解決しようとする課題】
【０００３】
ところで、第１及び第２の商品収納部はショーケース本体の前面側または背面側のみに開口部を有しているが、第３の商品収納部はショーケース本体の幅方向一側面側から前面側及び背面側に亘って幅広く開口部を有しているため、上面側通風路から第１及び第２の商品収納部の開口部に吐出される冷気の風量に対し、第３の商品収納部の開口部に吐出される風量が不足し、第１及び第２の商品収納部に対して第３の商品収納部の冷却能力が低下するという問題点があった。
【０００４】
本発明は前記問題点に鑑みてなされたものであり、その目的とするところは、第１及び第２の商品収納部の開口部に対して第３の商品収納部の開口部が大きい構成においても第３の商品収納部の冷却能力を低下させることのないオープンショーケースを提供することにある。
【課題を解決するための手段】
【０００５】
本発明は前記目的を達成するために、前面、背面及び幅方向一側面を開口したショーケース本体と、ショーケース本体の前面側に開口部を有する第１の商品収納部と、ショーケース本体の背面側に開口部を有する第２の商品収納部と、ショーケース本体の幅方向一側面側から前面側及び背面側に亘って開口部を有する第３の商品収納部とを備え、冷却器で冷却した空気をショーケース本体の上面側の通風路から各商品収納部の開口部に沿って吐出するようにしたオープンショーケースにおいて、前記第１、第２及び第３の商品収納部の開口部に沿って空気を吐出する第１の上面側通風路と、第１の上面側通風路から第３の商品収納部の開口部に沿って吐出された空気の外側または内側に第３の商品収納部の開口部に沿って空気を吐出する第２の上面側通風路とを備えている。
【０００６】
これにより、第１の上面側通風路から第１、第２及び第３の商品収納部の開口部に沿って空気が吐出されるとともに、第１の上面側通風路から第３の商品収納部の開口部に沿って吐出された空気の外側に第２の上面側通風路から第３の商品収納部の開口部に沿って空気が吐出されることから、第１及び第２の商品収納部の開口部に対して第３の商品収納部の開口部が大きい構成においても、第３の商品収納部の冷却能力を低下させることがない。
【発明の効果】
【０００７】
本発明のオープンショーケースによれば、第１及び第２の商品収納部の開口部に対して第３の商品収納部の開口部が大きい構成においても、第３の商品収納部の冷却能力を低下させることがないので、各商品収納部内をバランスよく冷却することができるとともに、外気の巻き込みによる部分的な結露の発生を防止することができ、風量のバランスを調整するための空気案内部材を少なくすることもできる。
【発明を実施するための最良の形態】
【０００８】
図１乃至図６は本発明の一実施形態を示すもので、図１はオープンショーケースの斜視図、図２はその正面図、図３はその正面概略断面図、図４はそのＡ−Ａ線矢視方向側面概略断面図、図５は第１の上面側通風路の平面概略断面図、図６は第２の上面側通風路の平面概略断面図である。
【０００９】
このオープンショーケースは前面、背面及び幅方向一側面を開口したショーケース本体１と、ショーケース本体１内の前面側に設けられた第１の商品収納部２と、ショーケース本体１内の背面側に設けられた第２の商品収納部３と、ショーケース本体１内の幅方向一側面側に設けられた第３の商品収納部４と、各商品収納部２，３，４内に設けられた複数の商品棚５と、ショーケース本体１の上面側に設けられた第１及び第２の上面側通風路６，７と、ショーケース本体１の底面側に設けられた第１及び第２の底面側通風路８，９と、各上面側通風路６，７と各底面側通風路８，９とを連通する第１及び第２の中間通風路１０，１１と、各底面側通風路８，９内に設けられた第１及び第２の冷却器１２，１３と、各底面側通風路８，９内に設けられた第１及び第２の送風機１４，１５とを備えている。
【００１０】
ショーケース本体１は、その上面を覆う断熱性の天板１ａと、ショーケース本体１の前面、背面、一側面の下部及び底面側を覆う断熱壁１ｂと、ショーケース本体１の幅方向他側面を覆う側板１ｃと、各第１の商品収納部２，３，４の上面を覆う上面板１ｄと、各商品収納部２，３，４の底面に配置された底面板１ｅと、第１及び第２の商品収納部２，３と第３の商品収納部４との間に設けられた透明な仕切板１ｆとを備え、ショーケース本体１の開口部下端には各底面側通風路８，９内に開口する空気吸入口１ｇが各商品収納部２，３，４の周縁に亘って設けられている。また、ショーケース本体１の下部には機械室１ｈが設けられ、機械室１ｈ内には圧縮機、凝縮器等の冷凍機器（図示せず）が収容されている。
【００１１】
第１及び第２の商品収納部２，３は、それぞれショーケース本体１の前面側及び背面側に開口部を有し、互いに第１の中間通風路１０を間にして設けられている。
【００１２】
第３の商品収納部４は、ショーケース本体１の一側面側から前面側及び背面側に亘って開口部を有し、第１及び第２の商品収納部２，３との間を仕切板１ｆによって仕切られている。
【００１３】
各商品棚５は各商品収納部２，３，４内に上下複数段に設けられ、各段の商品棚５は互いに同等の高さ位置に配置されている。
【００１４】
第１及び第２の上面側通風路６，７は天板１ａと上面板１ｄとの間に設けられ、第２の上面側通風路７が第１の上面側通風路６の上側になるように互いに上下に配置されている。また、各上面側通風路６，７の周縁には空気吐出口６ａが設けられている。
【００１５】
第１の上面側通風路６は、第１及び第２の商品収納部２，３に対応する部分と第３の商品収納部４に対応する部分とを仕切板６ｂによって仕切られており、第１の中間通風路１０から流入した空気を第１及び第２の商品収納部２，３の開口部に沿って吐出し、第２の中間通風路１１から流入した空気を第３の商品収納部４の開口部に沿って吐出するように形成されている。また、第１の上面側通風路６内には、第２の中間通風路１１から流入した空気をショーケース本体１の前面側、背面側及び幅方向一端側にそれぞれ案内する空気案内板６ｃが設けられ、空気案内板６ｃはショーケース本体１の前後方向中央から前面側及び背面側の開口部と幅方向一端側の開口部との間に向かってショーケース本体１の幅方向に斜めに延びるように略Ｖ字状に形成されている。空気案内板６ｃには複数の通気孔６ｄが設けられ、一部の空気が各通気孔６ｄを介してショーケース本体１の幅方向一端側に流通し、他の空気が空気案内板６ｃに沿ってショーケース本体１の前面側及び背面側に案内されるようになっている。
【００１６】
第２の上面側通風路７は、第１及び第２の商品収納部２，３に対応する部分を仕切板７ａによって仕切られており、第２の中間通風路１１から流入した空気を全て第３の商品収納部４の開口部側に吐出するように形成されている。即ち、仕切板７ａはショーケース本体１の幅方向他端側から第１及び第２の商品収納部２，３の開口部と第３の商品収納部４の開口部との間までショーケース本体１の幅方向に斜めに延びるように形成され、第２の中間通風路１１から流入した空気を第３の商品収納部４に対応する部分に案内するようになっている。
【００１７】
第１の底面側通風路８は第１及び第２の商品収納部２，３の下方にそれぞれ設けられ、第１及び第２の商品収納部２，３との間を底面板１ｅによって仕切られている。
【００１８】
第２の底面側通風路９は第３の商品収納部４の下方に設けられ、第３の商品収納部４との間を底面板１ｅによって仕切られている。
【００１９】
第１の中間通風路１０は第１及び第２の商品収納部２，３の背面に沿ってそれぞれ上下方向に延びるように前後一対に形成され、その上端及び下端はそれぞれ各上面側通風路６，７及び第１の底面側通風路８に連通している。第１の中間通風路１０内の上端側は仕切板１０ａによってショーケース本体１の前後方向に仕切られており、第１の中間通風路１０内の一部の空気が第１の上面側通風路６に流入し、他の空気が第２の上面側通風路７に流入するようになっている。
【００２０】
第２の中間通風路１１は第３の商品収納部４の背面に沿って上下方向に延びるように形成され、その上端及び下端はそれぞれ第１の上面側通風路６及び第２の底面側通風路９に連通している。
【００２１】
第１及び第２の冷却器１２，１３は機械室１ｈ内の冷凍機器に接続された蒸発器からなり、第１の冷却器１２は各第１の底面側通風路８内にそれぞれ一つずつ設けられ、第２の冷却器１３は第２の底面側通風路９内に設けられている。
【００２２】
第１及び第２の送風機１４，１５は空気吸入口１ｇの近傍に配置され、第１の送風機１４は各第１の底面側通風路８内にそれぞれ一つずつ設けられ、第２の送風機１５は第２の底面側通風路９内に設けられている。
【００２３】
以上のように構成されたオープンショーケースにおいては、空気吸入口１ｇから各第１の底面側通風路８内に吸入された空気が各第１の冷却器１２によって冷却され、各第１の中間通風路１０を介して一部の空気が第１の上面側通風路６の第１及び第２の商品収納部２，３側に流入し、空気吐出口６ａから第１及び第２の商品収納部２，３の開口部に沿って吐出される。また、空気吸入口１ｇから第２の底面側通風路９内に吸入された空気が第２の冷却器１３によって冷却され、第２の中間通風路１１を介して第１の上面側通風路６の第３の商品収納部４側に流入し、空気吐出口６ａから第３の商品収納部４の開口部に沿って吐出される。その際、各第１の中間通風路１０の他の空気が第２の上面側通風路７に流入し、空気吐出口６ａから第３の商品収納部４の開口部に沿って吐出される。これにより、第１の上面側通風路６から第３の商品収納部４の開口部に沿って吐出された空気の外側に、第２の上面側通風路７から第３の商品収納部４の開口部に沿って空気が吐出される。
【００２４】
このように、本実施形態のオープンショーケースによれば、第１の上面側通風路６から第１、第２及び第３の商品収納部２，３，４の開口部に沿って空気を吐出するとともに、第１の上面側通風路６から第３の商品収納部４の開口部に沿って吐出された空気の外側に第２の上面側通風路７から第３の商品収納部４の開口部に沿って空気を吐出するようにしたので、第１及び第２の商品収納部２，３の開口部に対して第３の商品収納部４の開口部が大きい構成においても、第３の商品収納部４の冷却能力を低下させることがなく、各商品収納部２，３，４内をバランスよく冷却することができる。また、各商品収納部２，３，４内をバランスよく冷却することができるので、外気の巻き込みによる部分的な結露の発生を防止することができるとともに、風量のバランスを調整するための空気案内部材を少なくすることができる。
【００２５】
更に、第１及び第２の上面側通風路６，７を互いに上下に配置したので、第１の中間通風路１０内の空気を各上面側通風路６，７に分流させる通風路を容易に形成することができ、製造上極めて有利である。
【００２６】
また、第１の上面側通風路６内に、第３の商品収納部４の開口部側に吐出される空気をショーケース本体１の前面側、背面側及び幅方向一端側にそれぞれ案内する空気案内板６ｃを設けたので、第１の上面側通風路６の空気を第３の商品収納部４の開口部全体に亘って満遍なく吐出することができ、第３の商品収納部４の冷却能力の低下をより確実に防止することができる。
【００２７】
更に、空気案内板６ｃをショーケース本体１の前後方向中央から前面側及び背面側の開口部と幅方向一端側の開口部との間に向かってショーケース本体１の幅方向に斜めに延びるように形成するとともに、一部の空気を複数の通気孔６ｄからショーケース本体１の幅方向一端側に向かって通過させるように形成したので、第１の上面側通風路６の空気を第３の商品収納部４のコーナー部分にも確実に吐出することができる。この場合、各通気孔６ｄの一部をスライド板等によって開閉可能に構成すれば、風量の調整を容易に行うことができる。
【００２８】
尚、前記実施形態では、第１の上面側通風路６から第３の商品収納部４の開口部に沿って吐出された空気の外側に第２の上面側通風路７から第３の商品収納部４の開口部に沿って空気を吐出するようにしたものを示したが、第１の上面側通風路６から吐出された空気の内側に第２の上面側通風路７の空気を吐出するようにしてもよい。
【図面の簡単な説明】
【００２９】
【図１】本発明の一実施形態を示すオープンショーケースの斜視図
【図２】オープンショーケースの正面図
【図３】オープンショーケースの正面概略断面図
【図４】オープンショーケースのＡ−Ａ線矢視方向側面概略断面図
【図５】第１の上面側通風路の平面概略断面図
【図６】第２の上面側通風路の平面概略断面図
【符号の説明】
【００３０】
１…ショーケース本体、２…第１の商品収納部、３…第２の商品収納部、４…第３の商品収納部、５…商品棚、６…第１の上面側通風路、６ｃ…空気案内板、７…第２の上面側通風路、１２…第１の冷却器、１３…第２の冷却器。
【図１】
2008045772.tif 000003
【図２】
2008045772.tif 000004
【図３】
2008045772.tif 000005
【図４】
2008045772.tif 000006
【図５】
2008045772.tif 000007
【図６】
2008045772.tif 000008